(57)【要約】【課題】従来の建築作業現場において作業の安全性を確保する目的で屋根工事用に設置される作業足場は、そのために特別に作成されたものであって作業の安全性を確保する面では優れているが、屋根工事用にのみ使用され汎用性がないため、せっかく製作された作業足場が有効に利用されないという課題がある。【解決手段】二本の側桁の間に複数のステップを設けた作業用足場において、側桁と直交する方向に突出自在なロックピンを側桁の一端に設けるとともに、他端にロックピンが嵌め合う孔を有する取り付け片を固定して形成したことを特徴とする。【選択図】        図１
2004324157.tif 000002
【特許請求の範囲】
【請求項１】
二本の側桁の間に複数のステップを設けた作業用足場において、側桁と直交する方向に突出自在なロックピンを側桁の一端に設けるとともに、他端にロックピンが嵌め合う孔を有する取り付け片を固定して形成したことを特徴とする作業用足場。
【請求項２】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成したことを特徴とする作業用足場。
【請求項３】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンと結合し、第二のフック部材を側桁の他端の孔に結合したことを特徴とする作業用足場。
【請求項４】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成したことを特徴とする作業用足場。
【請求項５】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成し、手摺部と取り付け部からなる手摺部材を、取り付け部によって側桁に固定したことを特徴とする作業用足場。
【請求項６】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、側桁の孔に嵌め合わされたロックピンを有する第一支持板に一端を回動自在に支持され、さらに側桁の孔に嵌め合わされたロックピンを有する第二支持板に伸縮自在な支持バーを介して他の一点で回動自在に支持される足場板を一組の作業用足場間に取り付けたことを特徴とする作業用足場。
【請求項７】
側桁の孔に嵌め合わされたロックピンを有する第二支持板に支持される伸縮自在な支持バーは作業現場の傾斜面に合わせて伸縮調節されるとともに取り付け位置を変更して他の一点で回動自在に支持される足場板を一組の作業用足場間に取り付けたことを特徴とする請求項６に記載の作業用足場。
【請求項８】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、手摺を取り付けた足場板が開閉着脱自在に両端に形成したフックにより一組の作業用足場間に取り付けられていることを特徴とする作業用足場。
【請求項９】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成して成り、蝶番の各面の両隅で各面に直交する方向に伸びる取り付け板を四箇所に設け、各取り付け板の端部と側桁とをそれぞれ嵌め合わせてロックピンで連結するとともに伸縮自在な連結板の両端に板面と直交する方向に突出自在に設けたロックピンを側桁の孔に結合させて二本の側桁を固定したことを特徴とする作業用足場。
【請求項１０】
一端を伸縮自在に構成し、途中から張り出した補強バーの先端に突入ピンを形成したサポータを設け、側桁の下端側で側桁の孔に突入ピンを挿入しつつサポータの固定端と突入ピンとを側桁に取り付けピンで固定してサポータを側桁から側方に張り出させ、サポータの一端を伸縮調節して作業用足場の転倒を防止するように構成したことを特徴とする請求項９に記載した作業用足場。
【請求項１１】
サポータを作業用足場の一方または双方に張り出させて固定したことを特徴とする請求項１０に記載した作業用足場。
【請求項１２】
蝶番から伸びる取り付け板に連結された作業用足場の一方または双方にさらに足場板を連結したことを特徴とする請求項９、請求項１０または請求項１１に記載した作業用足場。
【請求項１３】
二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成した作業用足場からなり、左右二本の作業用足場の上方で横方向に一本の作業用足場を連結して台形に作業用足場を組み合わせ、横方向の作業用足場の両端を左右二本の作業用足場とロックピンによってそれぞれ結合するとともに、横方向の作業用足場および左右二本の作業用足場の双方間でそれぞれの側桁の孔に嵌め合うロックピンを両端に設けた梁を張架したことを特徴とする作業用足場。
【発明の詳細な説明】
【０００１】
【発明の属する技術分野】
本発明は、建築作業現場や土木作業現場で使用する多目的用途に適合する作業用足場に関する。
【０００２】
【従来の技術】
建築作業現場において作業の安全性を確保する目的で屋根工事用に作業足場を設置するために、特開２００２−８９０３３号公報（図１ないし図３、明細書第３頁第４欄１１行目から３４行目まで）に示されるような足場が提案されている。
【０００３】
【特許文献１】
特開２００２−８９０３３号公報（図１ないし図３、明細書第３頁第４欄１１行目から３４行目まで）
【０００４】
【発明が解決しようとする課題】
従来の建築作業現場において作業の安全性を確保する目的で屋根工事用に設置される作業足場は、特別に作成されたもので作業の安全性を確保する面では優れている。しかし、屋根工事用にのみ使用され汎用性がないため、せっかく製作された作業足場が有効に利用されないという課題がある。
【０００５】
本発明は、作業用足場が汎用性を有するように構成するとともに、作業用足場と付属部品とを適宜組み合わせることによって、土木作業現場で法面Ｎへ作業用足場Ａを取り付け、あるいは各種の脚立を構成し、高台の作業足場を構成して、建築作業現場や土木作業現場で使用する多目的用途に適合する作業用足場を提供することを目的とする。
【０００６】
【課題を解決するための手段】
本発明は、上記課題を解決するために、請求項１に記載した発明によれば、二本の側桁の間に複数のステップを設けた作業用足場において、側桁と直交する方向に突出自在なロックピンを側桁の一端に設けるとともに、他端にロックピンが嵌め合う孔を有する取り付け片を固定して形成したことを特徴とする。
【０００７】
また、請求項２に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成したことを特徴とする。
【０００８】
さらに、請求項３に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンと結合し、第二のフック部材を側桁の他端の孔に結合したことを特徴とする。
【０００９】
さらに、請求項４に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成したことを特徴とする。
【００１０】
さらに、請求項５に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成し、手摺部と取り付け部からなる手摺部材を、取り付け部によって側桁に固定したことを特徴とする。
【００１１】
さらに、請求項６に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、側桁の孔に嵌め合わされたロックピンを有する第一支持板に一端を回動自在に支持され、さらに側桁の孔に嵌め合わされたロックピンを有する第二支持板に伸縮自在な支持バーを介して他の一点で回動自在に支持される足場板を一組の作業用足場間に取り付けたことを特徴とする。
【００１２】
さらに、請求項７に記載した発明によれば、側桁の孔に嵌め合わされたロックピンを有する第二支持板に支持される伸縮自在な支持バーは作業現場の傾斜面に合わせて伸縮調節されるとともに取り付け位置を変更して他の一点で回動自在に支持される足場板を一組の作業用足場間に取り付けたことを特徴とする。
【００１３】
さらに、請求項８に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、手摺を取り付けた足場板が開閉着脱自在に両端に形成したフックにより一組の作業用足場間に取り付けられていることを特徴とする。
【００１４】
さらに、請求項９に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成して成り、蝶番の各面の両隅で各面に直交する方向に伸びる取り付け板を四箇所に設け、各取り付け板の端部と側桁とをそれぞれ嵌め合わせてロックピンで連結するとともに伸縮自在な連結板の両端に板面と直交する方向に突出自在に設けたロックピンを側桁の孔に結合させて二本の側桁を固定したことを特徴とする。
【００１５】
さらに、請求項１０に記載した発明によれば、一端を伸縮自在に構成し、途中から張り出した補強バーの先端に突入ピンを形成したサポータを設け、側桁の下端側で側桁の孔に突入ピンを挿入しつつサポータの固定端と突入ピンとを側桁に取り付けピンで固定してサポータを側桁から側方に張り出させ、サポータの一端を伸縮調節して作業用足場の転倒を防止するように構成したことを特徴とする。
【００１６】
さらに、請求項１１に記載した発明によれば、サポータを作業用足場の一方または双方に張り出させて固定したことを特徴とする。
【００１７】
さらに、請求項１２に記載した発明によれば、蝶番から伸びる取り付け板に連結された作業用足場の一方または双方にさらに足場板を連結したことを特徴とする。
【００１８】
さらに、請求項１３に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成した作業用足場からなり、左右二本の作業用足場の上方で横方向に一本の作業用足場を連結して台形に作業用足場を組み合わせ、横方向の作業用足場の両端を左右二本の作業用足場とロックピンによってそれぞれ結合するとともに、横方向の作業用足場および左右二本の作業用足場の双方間でそれぞれの側桁の孔に嵌め合うロックピンを両端に設けた梁を張架したことを特徴とする。
【００１９】
【発明の実施の形態】
以下、本発明の一実施の形態について、図面を参照して詳細に説明するが、図１において、二本の側桁１の間に複数のステップ２を傾斜が調節自在になるように公知の方法で取り付け、側桁１と直交する方向に突出自在なロックピン３を側桁の一端左側に設けるとともに、他端右側には結合用のロックピン３が嵌め合う孔４を有する取り付け片５を固定して取り付け、側桁１の他端に向かって各種用途のロックピンが嵌め合う複数の孔６を所定の間隔で形成して作業用足場Ａを構成している。
【００２０】
すなわち、一定の間隔または用途に合わせて至近距離に連続して形成するなど適宜目的に合わせて形成される。図１（Ａ）は、作業用足場Ａの平面図、図１（Ｂ）は、その側面図を示している。
【００２１】
図２は、側桁１の右端に形成されている取り付け片５を拡大して示し、側桁１の右端の空洞部分に緊密に挿入された上で、ボルト１ａとナット１ｂとによって締め付け固定されている。
【００２２】
取り付け片５は、両外側が肉厚になっていて孔４のある部分が薄肉に形成されている。図２（Ａ）は、作業用足場Ａの平面図、図２（Ｂ）は、その側面図を示している。
【００２３】
図３は、側桁１の左端に形成されているロックピン３を拡大して示し、基板３ａにカバー３ｂが溶接されており、その中に一端がロックピン３に固定されたばね３ｃが収納されている。
【００２４】
基板３ａは、ボルト３ｄとナット３ｅを締め付けることによって側桁１に固定されている。ロックピン３は、ばね３ｃの付勢力によって、角型パイプ状の側桁１を貫通して裏面に突出している。
【００２５】
下方のリング３ｆをばね３ｃに抗して引き下げることによってロックピン３が引き下げられ、側桁１の角型パイプ状孔の中に挿入される相手部材の孔に嵌め合わされたときに、リング３ｆを離すと両者が連結される。図３（Ａ）は、作業用足場Ａの平面図、図３（Ｂ）は、その側面図を示している。
【００２６】
図４は、図１に示す作業用足場Ａの側桁１の左端にあるロックピン３に嵌め合わされる第一のフック部材７で、同様に図５は、作業用足場Ａの側桁１の右端にある取り付け片５の孔４に嵌め合わされる第二のフック部材８をそれぞれ示している。
【００２７】
図４（Ａ）は、第一のフック部材７の平面図で、図４（Ｂ）は、その側面図、図４（Ｃ）は、その正面図であり、取り付け部７ａの両端部が幅厚に折り返して形成され、中央部にはロックピン３が嵌め合わされる取り付け孔７ｂが形成されている。
【００２８】
また、中央部にはガイド板７ｃが溶接され、さらに中心にパイプを把持するようなフック部が形成されたフック板７ｅが、ガイド溝７ｆ，７ｆを二本のガイドピン７ｄ，７ｄによって回動自在に取り付けられている。
【００２９】
従って、フック板７ｅを反時計方向に旋回させると、中心に把持したパイプが抜けるようになる公知のフック構造である。
【００３０】
図５（Ａ）は、第二のフック部材８の平面図で、図５（Ｂ）は、その側面図であり、左側の角型の中空パイプ部８ａには、図３に示すロックピン３と同様の構成で、ロックピン８ｂ、カバー、ばね、リングなどが取り付けられている。
【００３１】
また、右側にはガイド板８ｃが溶接され、さらに中心にパイプを把持するようなフック部が形成されたフック板８ｅが、二つのガイド溝８ｆ、８ｆを二本のガイドピン７ｄ、７ｄによってガイド板８ｃに取り付けられている。
【００３２】
従って、図５（Ｂ）の状態からフック板８ｅを時計方向に旋回させると、中心に把持したパイプが抜けるようになる公知のフック構造である。
【００３３】
図６および図７は、このように構成された作業用足場Ａが、土木作業現場で設置されている状況を示し、図６は法面Ｎへの作業用足場Ａの取り付け断面であり、図７は取り付け法面Ｎの平面状態を示している。
【００３４】
図６において、土木作業現場の法面Ｎには杭Ｋが打ち込まれており、図７に示すように原則として作業用足場Ａの両側に、一対をなして打ち込まれている。
【００３５】
図６および図７に設置される作業用足場Ａには、図４および図５に示す第一フック部材７および第二フック部材８が両端に取り付けられている。
【００３６】
上側、真中および下側の杭Ｋは、何れも作業用足場Ａを挟んで両側に一対をなして打ち込まれており、一対の杭Ｋの間にはパイプがそれぞれ連結されている。
【００３７】
そして、作業用足場Ａに取り付けられた第一のフック部７および第二のフック部８が、そのパイプを把持して複数の作業用足場Ａが法面Ｎ上に連続して配置されている。
【００３８】
作業用足場Ａには、歩行者の安全のために第一の手摺９が取り付けられており、その詳細形状は図８に示されている。
【００３９】
即ち、手摺９は、屈曲した把持部９ａとストレートな取り付け部９ｂとからなり、側面形状は図８（Ａ）に、取り付け部９ｂの拡大断面形状は図８（Ｂ）にそれぞれ示されている。
【００４０】
図８（Ｂ）において、取り付け部９ｂには固定フック９ｃが溶接され、下側には可動フック９ｄがねじ９ｅによって取り付け部９ｂにねじ込み固定されている。
【００４１】
図８（Ｂ）に示すように、固定フック９ｃと可動フック９ｄとの間に作業用足場Ａの側桁１を挟み、ねじ９ｅを締め付けることによって可動フック９ｄが取り付け部９ｂにねじ込み固定されると、手摺９が作業用足場Ａに取り付けられることになる。
【００４２】
また、図７に示すように左右二つの作業用足場Ａ、Ａの間には、横方向の歩行のために足場板１０が架け渡されるが、その側面は、図６に示されさらに拡大側面は図９に示されている。
【００４３】
図６に示すように、左側の急傾斜の法面Ｎと右側の緩斜面の法面Ｎとに、作業用足場Ａ，Ａが設置され手摺９および足場板１０が取り付けられている。図９には、急傾斜の足場板１０と緩斜面の足場板１０とが兼用して記載されている。
【００４４】
即ち、側桁１の左側の孔周囲にはコ字形状をした第一支持板１０ａが両側から挟み込まれ、ロックピン１０ｂが嵌め込まれて固定されており、一端のピン１０ｃによって足場板１０が回動自在に保持されている。
【００４５】
一方、側桁１の右側には第二支持板１０ｄが、ロックピン１０ｂの場合と同様にロックピン１０ｅによって固定され、第二支持板１０ｄの他端には伸縮自在に調節可能なターンバックル等からなる支持バー１０ｆが回動自在に保持され、その反対側は足場板１０の中央付近に取り付けられ、取り付けピン１０ｇで回動自在に保持されている。
【００４６】
作業用足場Ａが急斜面に設置されている場合の調節は足場板１０が常に水平になるように、中央の調節部たる支持バー１０回動操作して公知の方法でなされる。
【００４７】
次に、支持バー１０ｆを最短の長さに調節しても、足場板１０が水平に取り付かないような緩斜面に、作業用足場Ａが設置されている場合の足場板１０の設置方法は、図９の右側の緩斜面に図示されているように、足場板１０の端部に立ち上がる補助板１０ｈに支持バー１０ｆが付け替えられる。
【００４８】
足場板１０の傾きの微調節は支持バー１０ｆの中央の調節部を操作して公知の方法で行われる。
【００４９】
さらに、足場板１０には、歩行者の安全のために手摺１０ｊが取り付けられている。この手摺１０ｊは、図１０（Ａ）にその側面形状が拡大して示されており、足場板１０への取り付け部１０ｋは、図１０（Ｂ）に拡大して示されている。
【００５０】
取り付け部１０ｋには固定取り付け板１０ｍが溶接固定され、下向きのガイドピン１０ｑが設けられている。また、取り付け部１０ｋのさらに下方には、可動取り付け板１０ｎが上向きのガイドピン１０ｑを取り付けた状態で、取り付けねじ１０ｐによって締め付けられている。
【００５１】
この手摺１０ｊの足場板１０への取り付けは、図１０（Ｂ）に示すように足場板１０に明けられた孔に、二つのガイドピン１０ｑ、１０ｑを嵌め合わせた後、取り付けねじ１０ｐが締め付けらることによって足場板１０に固定される。
【００５２】
図１１は、作業用足場Ａを脚立として利用する実施形態で、図１１（Ａ）は、側面図、図１１（Ｂ）は、正面図を示している。
【００５３】
二つの作業用足場Ａを蝶番１１で連結し、中間部分に連結板１２を取り付けさらに転倒防止用のサポータ１３を取り付けたものである。蝶番１１は、図１２に、連結板１２は、図１３に、サポータ１３は、図１４にそれぞれ部分拡大図で示されている。
【００５４】
図１２（Ａ）において蝶番１１は、二枚の板１１ａ、１１ａの折り曲げ部１１ｂ，１１ｂをリベット１１ｃ，１１ｃで連結して構成される蝶番本体と、折り曲げ部１１ｂ，１１ｂの四箇所にそれぞれ溶接された取り付け板１１ｄ，１１ｄとからなり、取り付け板１１ｄ，１１ｄには、作業用足場Ａのロックピンが嵌め合う孔１１ｅ，１１ｅが形成されている。
【００５５】
図１２（Ｂ）に示すように、取り付け板１１ｄ，１１ｄには作業用足場Ａが挿入されロックピンで連結される。
【００５６】
図１３において連結板１２は、左端にグラヴィティロックピンＧＰを有し、右端にロックピンＰを有する角型中空パイプ１２ａと、右端にグラヴィティロックピンＧＰを有し、左側にロックピンＰが嵌め合う複数の孔１２ｃ，１２ｃを有する調節片１２ｂとからなる。
【００５７】
調節片１２ｂは、脚立の開き度に合わせて伸縮調節され、適宜ロックピンＰで固定結合される。グラヴィティロックピンＧＰ，ＧＰは作業用足場Ａの側桁１の孔に挿入されて先端部が屈曲され、脚立としての二つの作業用足場Ａ，Ａの開き度を固定する。
【００５８】
グラヴィティロックピンＧＰの拡大説明図を図１３（Ｃ）に、ロックピンＰの拡大説明図を図１３（Ｄ）にそれぞれ示しているが、図から明らかなように何れも公知のものであるから詳細な説明を省略する。
【００５９】
図１４においてサポータ１３は、サポータ本体１３ａと、サポータ本体１３ａ内に挿入され下端の接地部に伸縮自在に取り付けられた補助片１３ｂと、補助片１３ｂを伸縮調節する公知のスプリングロック装置１４と、サポータ本体１３ａの中間部に取り付けられた補強バー１３ｃと、サポータ本体１３ａの上端と補強バー１３ｃとを連結しガイドピン１３ｄを有するコ字形状の連結カバー１３ｅとからなり、ガイドピン１３ｄを側桁１の孔に挿入して位置を固定した後、コ字形状の連結カバー１３ｅを取り付けピン１３ｆによって側桁１から抜けないようにロックされている。
【００６０】
補助片１３ｂを伸縮調節するスプリングロック装置１４は、公知のものであるが、補助片１３ｂに遊嵌状態に挿入されたロック片１４ａが、一端をガイド板１４ｂに挿入され、他端をばね１４ｃで上方に引き上げられているため、補助片１３ｂを引き出すときは自由に伸び出せるが、下から力が加わったときにはばね１４ｃのよって可動片１３ｂが偏倚されるため、突っ張り状態となって引っ込まないようになっている。
【００６１】
なお、側桁１の下端には接地部分を保護するために、先端部分１５ａがスリップしないようにゴムなどでできた接地版１５が、取り付けねじ１５ｂによって固定されている。
【００６２】
図１５は、図１１の脚立に対して側桁１を継ぎ足して、背の高い脚立にした実施形態を示すもので、図１に示す右の孔４と左のロックピン３とが連結された形態の具体例である。
【００６３】
蝶番１１、連結板１２、サポータ１３および接地版１５などは、図１１のものと同一である。図１５（Ａ）は、側面図、図１５（Ｂ）は、正面図を示している。
【００６４】
図１６は、さらに図１１の脚立に対して側桁１を一方だけ継ぎ足して、片側に緩い傾斜で作業をする場合に利用し易いように構成した実施形態で、図１６（Ａ）は側面図、図１６（Ｂ）は正面図を示している。
【００６５】
図１７は、左右二本の作業用足場Ａ，Ａの上方で、横方向に一本の作業用足場Ａを連結して台形に作業用足場Ａを組み合わせ、横方向の作業用足場Ａの両端を左右二本の作業用足場Ａ、Ａとロックピンによってそれぞれ結合するとともに、横方向の作業用足場Ａおよび左右二本の作業用足場Ａ，Ａの双方間でそれぞれの側桁１の孔に嵌め合うロックピンを両端に設けた梁１６を張架して台形の作業用足場Ａを構成した実施形態である。図１７（Ａ）は、側面図、図１７（Ｂ）は、正面図を示している。
【００６６】
横方向の作業用足場Ａの両端には、図１８に示すように、ロックピンＰを有する第一結合板１７と第二結合板１８とが使用されている。
【００６７】
図１８（Ａ）は、第一結合板１７と第二結合板１８との上面図、図１８（Ｂ）は、その側面図を示している。
【００６８】
第一結合板１７は、左側のコ字形状の部分１７ａにロックピンＰを取り付け、側桁１を挟んでその孔４に結合させ、右側の取り付け部１７ｂは側桁１に挿入されそのロックピン３で連結される。図面を理解しやすくするために図１８では、ロックピン３を省略してある。
【００６９】
第二結合板１８は、右側のコ字形状の部分１８ａにロックピンＰを取り付け、側桁１を挟んで側桁１の孔４とロックピンＰによって結合させ、さらに左側の取り付け部１８ｂには側桁１の取り付け片５が挿入され、側桁１の孔４にそのロックピンＰで連結される。
【００７０】
左右二本の作業用足場Ａ，Ａに用いられるサポータ１３および接地版１５などは、図１１と同一のものが利用できる。梁１６には、図１３に示した連結板１２を利用することができる。
【００７１】
即ち、左右二本の作業用足場Ａ，Ａの側桁１、１の孔４，４と、横方向一本の作業用足場Ａの側桁１の孔４，４との間に、二つの連結板１２，１２を張架してグラヴィティロックピンＧＰ，ＧＰで固定すれば、図１７に示された台形の作業用足場Ａが完成する。
【００７２】
図１９は、図６または図７における杭Ｋに代わる取り付け柱１９の実施形態を示している。
【００７３】
即ち、図６または図７における杭Ｋは、工事現場の法面に直接打ち込んで作業用足場Ａを設置できる実施形態であるが、作業現場で直接杭Ｋを打ち込めず工事面に傷をつけられないような場合に、図１９の取り付け柱１９が使用される。図１９（Ａ）は、取り付け柱１９の側面図、図１９（Ｂ）は、その正面図を示している。
【００７４】
取り付け柱１９は、全体におねじが形成された柱本体部１９ａと、下端のコ字形状部１９ｂとからなり、コ字形状部１９ｂに形成された締め付けねじ１９ｃによって、工事現場の工事対象物Ｍに取り付けられ、中間部に形成された二つの支持板１９ｄ，１９ｅの間に側桁１を挟み込んで、作業用足場Ａを工事現場に設置する。中間部は雌ねじが形成され柱本体部１９ａの雄おねじに噛み合っている。
【００７５】
また、上端部１９ｆには、鉄棒などの調節工具を挿入する孔を形成してあり、調節工具を旋回させると上端部１９ｆが柱本体部１９ａとともに旋回し、柱本体部１９ａのおねじに噛み合っている中間部が上下方向に移動されて、作業用足場Ａの高さが調節される。
【００７６】
柱本体部１９ａは、下端のコ字形状部１９ｂとは回動自在に結合されているから、柱本体部１９ａを旋回させても下端のコ字形状部１９ｂには影響を及ぼさない。
【００７７】
なお、上記図１の実施形態においては、側桁１と直交する方向に突出自在なロックピン３を二本の側桁１の一端左側に設けるとともに、他端右側にロックピン３が嵌め合う孔４を有する取り付け片５を固定して形成し、側桁１の他端に向かって各種のロックピンが嵌め合う複数の孔６を所定の間隔で形成してあるが、側桁１の左側における一方の一端にロックピン３を設けるとともに、他方の一端にはロックピン３が嵌め合う孔４を有する取り付け片５を固定して設けるようにし、側桁１の右側にも同様に一方の側桁１にはロックピン３を、他方の側桁１には取り付け片５を固定して設けるようにしてもよい。
【００７８】
即ち、左右何れの側にもロックピン３と取り付け片５とを設けるような構成にしても同様に実施可能であり同一効果を得ることができる。
【００７９】
さらに本発明は、上記実施形態に限定されるものではなく、本発明の技術的思想の範囲内で、適宜変更して実施することができるものである。
【００８０】
【発明の効果】
以上のように、請求項１に記載した発明によれば、二本の側桁の間に複数のステップを設けた作業用足場において、側桁と直交する方向に突出自在なロックピンを側桁の一端に設けるとともに、他端にロックピンが嵌め合う孔を有する取り付け片を固定して形成したことを特徴とする。
【００８１】
そして、この発明にあっては、作業用足場の側桁と直交する方向に突出自在なロックピンを側桁の一端に設けるとともに、他端にロックピンが嵌め合う孔を有する取り付け片を固定して形成したもので、作業用足場に汎用性を持たせることが出来るようになる。
【００８２】
また、請求項２に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成したことを特徴とする。
【００８３】
そして、この発明にあっては、側桁の側面にロックピンが嵌め合うように複数の孔を所定の間隔で形成したもので、作業用足場の中間部分にも付属部品を取り付けて全体を構成することによって、作業用足場の利用範囲や用途を大幅に拡大させることができるようになる。
【００８４】
さらに、請求項３に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンと結合し、第二のフック部材を側桁の他端の孔に結合したことを特徴とする。
【００８５】
そして、この発明にあっては、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンと結合し、第二のフック部材を側桁の他端の孔に結合したものであって、単に作業用足場を相互連結して工事現場に設置するだけでなく、工事現場のパイプ等に連結して設置することが出来るようになる。
【００８６】
さらに、請求項４に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成したことを特徴とする。
【００８７】
そして、この発明にあっては、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成したもので、複数台の作業用足場を工事現場の法面に打ち込んだ杭のパイプ等に連結して設置することが出来るようになるため、工事現場での作業に際して作業者が容易に移動をできるようになる。
【００８８】
さらに、請求項５に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成し、手摺部と取り付け部からなる手摺部材を、取り付け部によって側桁に固定したことを特徴とする。
【００８９】
そして、この発明にあっては、手摺部と取り付け部からなる手摺部材を、取り付け部によって側桁に固定するようにしたもので、工事現場における作業の安全性を確保し、作業者が安心して作業を継続できるから、作業能率を向上させることができるようになる。
【００９０】
さらに、請求項６に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、側桁の孔に嵌め合わされたロックピンを有する第一支持板に一端を回動自在に支持され、さらに側桁の孔に嵌め合わされたロックピンを有する第二支持板に伸縮自在な支持バーを介して他の一点で回動自在に支持される足場板を一組の作業用足場間に取り付けたことを特徴とする。
【００９１】
そして、この発明にあっては、一組の作業用足場を並列して設置し、側桁の孔に嵌め合わされたロックピンを有する第一支持板に一端を回動自在に支持され、さらに側桁の孔に嵌め合わされたロックピンを有する第二支持板に伸縮自在な支持バーを介して他の一点で回動自在に支持される足場板を一組の作業用足場間に取り付けることが出来るようにしたものであるから、工事現場の斜面が緩急変動しても、自由な足場板の取り付けに対応可能な、広範囲の作業用足場の利用が図られ、資材設備の効率的運用が図られるようになる。
【００９２】
さらに、請求項７に記載した発明によれば、側桁の孔に嵌め合わされたロックピンを有する第二支持板に支持される伸縮自在な支持バーは作業現場の傾斜面に合わせて伸縮調節されるとともに取り付け位置を変更して他の一点で回動自在に支持される足場板を一組の作業用足場間に取り付けたことを特徴とする。
【００９３】
そして、この発明にあっては、第二支持板に支持される伸縮自在な支持バーは、作業現場の傾斜面に合わせて伸縮調節されるとともに取り付け位置を変更して、他の一点で回動自在に支持される足場板を一組の作業用足場間に取り付けられるようにしたもので、より緩やかな斜面にも足場板の取り付けが可能になり、一段と広範囲の作業用足場の利用が図られるようになる。
【００９４】
さらに、請求項８に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成し、パイプに着脱自在なフックを一端に形成しロックピンと嵌め合う孔を他端に形成した第一のフック部材と、パイプに着脱自在なフックを一端に形成しフックと直交する方向に突出自在なロックピンを他端に設けた第二のフック部材とを備え、第一のフック部材を側桁のロックピンに連結するとともに第二のフック部材を側桁の他端の孔に結合し、作業現場の法面に打ち込んだ一対の杭間に張架されたパイプに第一のフック部材を取り付け、前記一対の杭の下方に打ち込んだ他の一対の杭間に張架されたパイプに第二のフック部材を取り付けるように構成した一組の作業用足場を並列して設置し、手摺を取り付けた足場板が開閉着脱自在に両端に形成したフックにより一組の作業用足場間に取り付けられていることを特徴とする。
【００９５】
そして、この発明にあっては、側桁の他端に向かってロックピンが嵌め合う複数の孔を所定の間隔で形成するとともに、一組の作業用足場を並列して設置し、手摺を取り付けた足場板が開閉着脱自在に両端に形成したフックにより一組の作業用足場間に取り付けるようにしたものであって、一組の作業用足場を並列して設置しつつ、手摺を取り付けた足場板を一組の作業用足場間に取り付け、安全な作業を確保できるようになり作業者が安心して作業を継続できるから、作業能率を向上させることができるようになる。
【００９６】
さらに、請求項９に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の側面にロックピンが嵌め合うように複数の孔を所定の間隔で形成して成り、蝶番の各面の両隅で各面に直交する方向に伸びる取り付け板を四箇所に設け、各取り付け板の端部と側桁とをそれぞれ嵌め合わせてロックピンで連結するとともに伸縮自在な連結板の両端に板面と直交する方向に突出自在に設けたロックピンを側桁の孔に結合させて二本の側桁を固定したことを特徴とする。
【００９７】
そして、この発明にあっては、蝶番の各面の両隅で各面に直交する方向に伸びる取り付け板を四箇所に設け、各取り付け板の端部と側桁とをそれぞれ嵌め合わせてロックピンで連結するとともに、伸縮自在な連結板の両端に板面と直交する方向に突出自在に設けたロックピンを、側桁の孔に結合させて二本の側桁を固定して、作業用足場を脚立としても利用できるように、資材設備の応用範囲をいっそう拡大したものである。
【００９８】
さらに、請求項１０に記載した発明によれば、一端を伸縮自在に構成し、途中から張り出した補強バーの先端に突入ピンを形成したサポータを設け、側桁の下端側で側桁の孔に突入ピンを挿入しつつサポータの固定端と突入ピンとを側桁に取り付けピンで固定してサポータを側桁から側方に張り出させ、サポータの一端を伸縮調節して作業用足場の転倒を防止するように構成したことを特徴とする。
【００９９】
そして、この発明にあっては、サポータを側桁から側方に張り出させ、サポータの一端を伸縮調節して、作業用足場の転倒を防止するように構成して、作業の安全性を確保し事故防止を図るようにしたものである。
【０１００】
さらに、請求項１１に記載した発明によれば、サポータを作業用足場の一方または双方に張り出させて固定したことを特徴とする。
【０１０１】
そして、この発明にあっては、サポータを作業用足場の一方または双方に張り出させ、上述の発明と同様に作業用足場の転倒を防止して、さらに作業の安全を確保するようにしたものである。
【０１０２】
さらに、請求項１２に記載した発明によれば、蝶番から伸びる取り付け板に連結された作業用足場の一方または双方にさらに作業用足場を連結したことを特徴とする。
【０１０３】
そして、この発明にあっては、蝶番から伸びる取り付け板に連結された作業用足場の一方または双方に、さらに作業用足場を連結して脚立をより大きくし、最小限の資材設備の追加によって、変則的な作業現場における資材設備の的確な提供が可能となり、より高所での作業を可能にするとともに、傾斜のゆるい斜面での作業領域を拡大するようにしたものである。
【０１０４】
さらに、請求項１３に記載した発明によれば、二本の側桁の間に複数のステップを設けた作業用足場において、側桁と直交する方向に突出自在なロックピンを側桁の一端に設けるとともに他端にロックピンが嵌め合う孔を有する取り付け片を固定して形成し、側桁の他端に向かってロックピンが嵌め合う複数の孔を所定の間隔で形成した作業用足場からなり、左右二本の作業用足場の上方で横方向に一本の作業用足場を連結して台形に作業用足場を組み合わせ、横方向の作業用足場の両端を左右二本の作業用足場とロックピンによってそれぞれ結合するとともに、横方向の作業用足場および左右二本の作業用足場の双方間でそれぞれの側桁の孔に嵌め合うロックピンを両端に設けた梁を張架したことを特徴とする。
【０１０５】
そして、この発明にあっては、左右二本の作業用足場の上方で、横方向に一本の作業用足場を連結して、台形に作業用足場を組み合わせ、横方向の作業用足場の両端を、左右二本の作業用足場とロックピンによってそれぞれ結合するとともに、横方向の作業用足場および左右二本の作業用足場の双方間で、それぞれの側桁の孔に嵌め合うロックピンを両端に設けた梁を張架して、比較的高いところに平坦な作業用足場を設置できるようにしたものである。
【０１０６】
その結果、この発明によれば、作業用足場が汎用性を有するように構成するとともに、作業用足場と付属部品とを適宜組み合わせることによって、土木作業現場の法面等へ作業用足場を取り付け、あるいは各種の脚立を構成し、さらには高台の作業用足場を構成して、建築作業現場や土木作業現場等で使用する多目的用途に適合する作業用足場を提供することが出来るようになり、その技術的経済的効果は極めて絶大なものである。
【図面の簡単な説明】
【図１】本発明の一実施の形態を示す作業用足場の平面図と側面図である。
【図２】本発明の一実施の形態を示す作業用足場の右側部分拡大平面図と側面図である。
【図３】本発明の一実施の形態を示す作業用足場の左側部分拡大平面図と側面図である。
【図４】本発明の一実施の形態を示す作業用足場に使用する付属部品の説明図である。
【図５】本発明の一実施の形態を示す作業用足場に使用する付属部品の説明図である。
【図６】本発明の一実施の形態を示す作業用足場を土木工事現場に設置した配置断面図である。
【図７】本発明の一実施の形態を示す作業用足場を土木工事現場に設置した配置図である。
【図８】本発明の一実施の形態を示す作業用足場に使用する付属部品の手摺である。
【図９】本発明の一実施の形態を示す作業用足場に使用する付属部品の一つである足場板の取り付け図である。
【図１０】本発明の一実施の形態を示す作業用足場と組み合わせて使用する足場板用の付属部品の手摺である。
【図１１】本発明の一実施の形態を示す作業用足場を組み合わせて脚立に利用した説明図である。
【図１２】本発明の一実施の形態を示す作業用足場を組み合わせて脚立に利用した場合の結合部品である蝶番の説明図である。
【図１３】本発明の一実施の形態を示す作業用足場を組み合わせて脚立に利用した場合の結合部品である連結板の説明図である。
【図１４】本発明の一実施の形態を示す作業用足場を組み合わせて脚立に利用した場合の結合部品である転倒防止用のサポータの説明図である。
【図１５】本発明の一実施の形態を示す作業用足場を組み合わせて拡大した脚立に利用した説明図である。
【図１６】本発明の一実施の形態を示す作業用足場を組み合わせて変形した脚立に利用した説明図である。
【図１７】本発明の一実施の形態を示す作業用足場を組み合わせて台形の作業用足場を構成した実施形態の説明図である。
【図１８】本発明の一実施の形態を示す作業用足場を組み合わせて台形の作業用足場に使用する付属部品の説明図である。
【図１９】本発明の一実施の形態を示す作業用足場を工事現場に設置する場合の取り付け柱の説明図である。
【符号の説明】
Ａ  作業用足場
Ｋ  杭
Ｎ  法面
１  側桁
２  ステップ
３  ロックピン
４，６  孔
５  取り付け片
７  第一ロック部材
８  第二ロック部材
９，１０ｊ  手摺
１０  足場板
１１  蝶番
１２  連結板
１３  サポータ
１５  接地板
１６  梁
１７，１８  結合板
１９  取り付け柱
【図１】
2004324157.tif 000003
【図２】
2004324157.tif 000004
【図３】
2004324157.tif 000005
【図４】
2004324157.tif 000006
【図５】
2004324157.tif 000007
【図６】
2004324157.tif 000008
【図７】
2004324157.tif 000009
【図８】
2004324157.tif 000010
【図９】
2004324157.tif 000011
【図１０】
2004324157.tif 000012
【図１１】
2004324157.tif 000013
【図１２】
2004324157.tif 000014
【図１３】
2004324157.tif 000015
【図１４】
2004324157.tif 000016
【図１５】
2004324157.tif 000017
【図１６】
2004324157.tif 000018
【図１７】
2004324157.tif 000019
【図１８】
2004324157.tif 000020
【図１９】
2004324157.tif 000021